(57)【要約】【課題】動画コンテンツの転送に、ユーザの利便性を向上させる一方で、動画頒布のインセンティブを高める端末装置、クーポン属性変更方法およびクーポン属性変更プログラムを提供する。【解決手段】動画を再生可能な端末装置２００であって、動画コンテンツ、クーポンのデータおよび動画コンテンツとクーポンとを関連付け、クーポンの属性を設定するクーポン設定情報を記憶するデータ記憶ユニットと、ユーザの指示により、少なくとも動画コンテンツを他の機器３００に転送する転送制御部と、動画コンテンツの転送完了を検知する検知制御部と、転送完了に応じて、クーポンの属性を変更し、クーポンのユーザへの価値を高めるクーポン制御部とを備える。これにより、動画コンテンツの転送時のユーザの利便性を向上させ、動画頒布のインセンティブを高める。【選択図】図１
2011034304.tif 000002
【特許請求の範囲】
【請求項１】
ネットワークを介さない直接通信の可能な端末装置であって、
動画コンテンツ、クーポンのデータおよび前記動画コンテンツと前記クーポンとを関連付け、クーポンの属性を設定するクーポン設定情報を記憶するデータ記憶ユニットと、
前記動画コンテンツの再生を制御する再生制御部と、
少なくとも前記動画コンテンツを他の機器に直接通信により転送する転送制御部と、
前記動画コンテンツの再生終了または転送完了に応じて、前記クーポンの属性を変更し、前記クーポンの前記ユーザへの価値を高めるクーポン制御部と、を備えることを特徴とする端末装置。
【請求項２】
ユーザによる動画コンテンツの選択の操作情報を受け付ける操作情報制御部と、
前記ユーザにより選択された動画コンテンツに関連するクーポンのデータに基づいてクーポンを表示する表示制御部と、を更に備えることを特徴とする請求項１に記載の端末装置。
【請求項３】
前記表示制御部は、前記ユーザが選択した動画コンテンツの再生および直接通信による転送に関する操作方法を、前記ユーザが選択した動画コンテンツに関連するクーポンの属性を変更するための操作方法として表示することを特徴とする請求項２に記載の端末装置。
【請求項４】
前記転送制御部は、前記転送される動画コンテンツを関連付けるクーポン設定情報を初期化して、前記転送される動画コンテンツとともに転送することを特徴とする請求項１から請求項３のいずれかに記載の端末装置。
【請求項５】
前記クーポン制御部は、前記動画コンテンツを転送した他の機器の履歴データを確認し、すでに同一の動画コンテンツを転送した履歴がある場合、クーポンの属性を変更しないことを特徴とする請求項１から請求項４のいずれかに記載の端末装置。
【請求項６】
前記クーポン制御部は、前記動画コンテンツを転送する他の機器の識別情報を取得し、前記識別情報に基づいて、前記クーポンの属性を変更することを特徴とする請求項１から請求項５のいずれかに記載の端末装置。
【請求項７】
前記転送制御部は、ユーザによる前記動画コンテンツへの操作が反映される部分を除き、前記クーポン設定情報を前記動画コンテンツとともに転送することを特徴とする請求項１から請求項６のいずれかに記載の端末装置。
【請求項８】
前記クーポン制御部は、前記動画コンテンツを転送する他の機器の機器情報を取得し、前記機器情報に基づいて、前記他の機器がクーポンに対応しているかを判別することを特徴とする請求項１から請求項７のいずれかに記載の端末装置。
【請求項９】
ネットワークを介さない直接通信の可能な端末装置を用いて行うクーポン属性変更方法であって、
動画コンテンツ、クーポンのデータおよび前記動画コンテンツと前記クーポンとを関連付け、クーポンの属性を設定するクーポン設定情報を記憶するステップと、
前記動画コンテンツの再生を制御するステップと、
少なくとも前記動画コンテンツを他の機器に直接通信により転送するステップと、
前記動画コンテンツの再生終了または転送完了に応じて、前記クーポンの属性を変更し、前記クーポンの前記ユーザへの価値を高めるステップと、を含むことを特徴とするクーポン属性変更方法。
【請求項１０】
ネットワークを介さない直接通信の可能な端末装置に実行させるクーポン属性変更プログラムであって、
動画コンテンツ、クーポンのデータおよび前記動画コンテンツと前記クーポンとを関連付け、クーポンの属性を設定するクーポン設定情報を記憶する処理と、
前記動画コンテンツの再生を制御する処理と、
少なくとも前記動画コンテンツを他の機器に直接通信により転送する処理と、
前記動画コンテンツの再生終了または転送完了に応じて、前記クーポンの属性を変更し、前記クーポンの前記ユーザへの価値を高める処理と、を含むことを特徴とするクーポン属性変更プログラム。
【発明の詳細な説明】
【技術分野】
【０００１】
本発明は、ネットワークを介さない直接通信の可能な端末装置、クーポン属性変更方法およびクーポン属性変更プログラムに関する。
【背景技術】
【０００２】
近年、様々な広告動画コンテンツがインターネット上に公開されている。広告動画コンテンツには、飲食店による広告等が挙げられる。また、このような広告動画コンテンツを視聴したり、広告動画コンテンツを友達に渡したりすることにより、ユーザに特典を与えるサービスもある。たとえば、ユーザがコンテンツに対して所定の操作を行なった場合に特典を与えるコンテンツ配信システムが知られている（たとえば特許文献１、２参照）。
【０００３】
特許文献１記載のコンテンツ配信システムでは、コンテンツ配信管理装置が、記憶されたコンテンツを配信する場合、コンテンツとともに通知先をユーザの端末装置に送信する。ユーザの端末装置は、ユーザがコンテンツに対して所定の操作を行なった場合に、操作に関する通知情報を生成し、通知先に送信する。通知先であるコンテンツ配信管理装置は、通知情報を取得し、ユーザの操作履歴を生成し、ユーザの操作履歴を参照して、特典の付与判断を行ない、適当なユーザに特典を付与する。
【０００４】
特許文献２記載の通信端末装置は、他の通信端末装置と広告データを送受信し、広告データの送受信時に広告データに対して所定の処理を行い、識別情報を含む広告データを記録する。そして、広告データを配信する際に配信先の通信端末装置における識別情報を取得し、取得された識別情報を広告データとともに記録し、識別情報に基づいて広告データを表示している。このようにして、ユーザに広告データを他の通信端末装置に配信させ、通信端末装置に対してその行為に対するインセンティブを、配信データを用いて還元している。
【先行技術文献】
【特許文献】
【０００５】
【特許文献１】特開２００２−２６８４３号公報
【特許文献２】特開２００５−２０３９４９号公報
【発明の概要】
【発明が解決しようとする課題】
【０００６】
上記のように、広告コンテンツの視聴を促進させるために、広告コンテンツの視聴や転送によって、クーポン等の特典をユーザに与えるサービスがある。
【０００７】
しかしながら、端末装置がインターネットに接続できない地域、場所では、特許文献１記載のコンテンツ配信システムを利用できない。また、ユーザが、端末装置を特定するための情報をサーバに登録しなければならないため、利用の障壁となる。また、転送先のユーザには受信したコンテンツがシステムに対応したものであるかわかりにくく、コンテンツが頒布されにくい。
【０００８】
また、特許文献２記載の通信端末装置は、クーポンとなる画像データの転送により、画像データ自体が変換されるに過ぎず、動画コンテンツの視聴に対応できない。したがって、広告効果を十分に得られない。また、動画コンテンツに特許文献２記載の通信端末装置を応用するにしても、視聴する広告と転送の結果変化するクーポンとを分けて取り扱う必要がある。
【０００９】
本発明は、このような事情に鑑みてなされたものであり、動画コンテンツの転送に、ユーザの利便性を向上させる一方で、動画頒布のインセンティブを高める端末装置、クーポン属性変更方法およびクーポン属性変更プログラムを提供することを目的とする。
【課題を解決するための手段】
【００１０】
（１）上記の目的を達成するため、本発明の端末装置は、ネットワークを介さない直接通信の可能な端末装置であって、動画コンテンツ、クーポンのデータおよび前記動画コンテンツと前記クーポンとを関連付け、クーポンの属性を設定するクーポン設定情報を記憶するデータ記憶ユニットと、前記動画コンテンツの再生を制御する再生制御部と、少なくとも前記動画コンテンツを他の機器に直接通信により転送する転送制御部と、前記動画コンテンツの再生終了または転送完了に応じて、前記クーポンの属性を変更し、前記クーポンの前記ユーザへの価値を高めるクーポン制御部と、を備えることを特徴としている。
【００１１】
このように、端末装置と他の機器との間で動画コンテンツを送受信し、クーポンの属性を変更しているため、インターネットに接続できない地域、場所であっても、クーポンが利用できユーザの利便性を向上させる。その結果、クーポンを利用しやすく動画頒布が促進される。また、動画コンテンツの転送により価値が高まるようにクーポンの属性が変更されるため、動画頒布のインセンティブを高めることができる。
【００１２】
（２）また、本発明の端末装置は、ユーザによる動画コンテンツの選択の操作情報を受け付ける操作情報制御部と、前記ユーザにより選択された動画コンテンツに関連するクーポンのデータに基づいてクーポンを表示する表示制御部とを更に備えることを特徴としている。
【００１３】
これにより、ユーザは動画データ選択時に、動画データに関連するクーポンを知ることができ、クーポンのサービス内容を知ることができる。たとえば、クーポンの表示には、利用できるお店の名前、クーポンサービス内容、現在の利用の可否、利用可能にする方法が示される。その結果、ユーザに動画転送のインセンティブを与えることができる。
【００１４】
（３）また、本発明の端末装置は、前記表示制御部が、前記ユーザが選択した動画コンテンツの再生および直接通信による転送に関する操作方法を、前記ユーザが選択した動画コンテンツに関連するクーポンの属性を変更するための操作方法として表示することを特徴としている。このように、動画コンテンツの選択時に、クーポンの属性を変更する方法が表示される。これにより、ユーザは、クーポンを利用可能にする方法、クーポンの質をアップさせる方法などのクーポンの属性を変更する方法を知ることができる。その結果、ユーザに動画コンテンツの再生および転送のインセンティブを与えることができる。
【００１５】
（４）また、本発明の端末装置は、前記転送制御部が、前記転送される動画コンテンツを関連付けるクーポン設定情報を初期化して、前記転送される動画コンテンツとともに転送することを特徴としている。これにより、動画データとともにクーポン設定情報を転送する場合には、ユーザによる動画データの操作履歴が消去され、転送先のユーザは初期状態からクーポンを使うように設定できる。
【００１６】
（５）また、本発明の端末装置は、前記クーポン制御部が、前記動画コンテンツを転送した他の機器の履歴データを確認し、すでに同一の動画コンテンツを転送した履歴がある場合、クーポンの属性を変更しないことを特徴としている。これにより、重複する転送でクーポンの属性を変更することを防ぐ。したがって、同じ端末に同じ動画データを何度転送しても、クーポンの属性の変更を防ぐことができる。そして、動画データを転送したことのない端末に転送するようにインセンティブが働く。
【００１７】
（６）また、本発明の端末装置は、前記クーポン制御部が、前記動画コンテンツを転送する他の機器の識別情報を取得し、前記識別情報に基づいて、前記クーポンの属性を変更することを特徴としている。これにより、転送先の機器に応じたクーポン提供ができる。たとえばユーザが動画データをＴＶに転送すれば、携帯端末よりも良いクーポンを提供することができる。また、クーポン発信元のお店が特定する機器の情報をクーポン設定情報に記録すれば、その特定の機器に動画データを転送したときに、特別なクーポンを提供するサービスも可能である。このように、クーポンを提供するお店の意図に合わせたクーポン提供が可能になる。また、動画コンテンツが転送された機器に応じて、提供するクーポンの種類を設定する等、属性変更の仕方を変えてもよい。
【００１８】
（７）また、本発明の端末装置は、前記転送制御部が、ユーザによる前記動画コンテンツへの操作が反映される部分を除き、前記クーポン設定情報を前記動画コンテンツとともに転送することを特徴としている。これにより、送信する前に、相手に送信するクーポン設定情報の一部（ユーザ操作情報）を初期化しなくても、転送先のユーザは初期状態からクーポンを利用できる。
【００１９】
（８）また、本発明の端末装置は、前記クーポン制御部が、前記動画コンテンツを転送する他の機器の機器情報を取得し、前記機器情報に基づいて、前記他の機器がクーポンに対応しているかを判別することを特徴としている。これにより、転送先がクーポン対応していない場合には動画コンテンツを転送しない等の対応をとることができる。
【００２０】
（９）また、本発明のクーポン属性変更方法は、ネットワークを介さない直接通信の可能な端末装置を用いて行うクーポン属性変更方法であって、動画コンテンツ、クーポンのデータおよび前記動画コンテンツと前記クーポンとを関連付け、クーポンの属性を設定するクーポン設定情報を記憶するステップと、前記動画コンテンツの再生を制御するステップと、少なくとも前記動画コンテンツを他の機器に直接通信により転送するステップと、前記動画コンテンツの再生終了または転送完了に応じて、前記クーポンの属性を変更し、前記クーポンの前記ユーザへの価値を高めるステップと、を含むことを特徴としている。これにより、ユーザの利便性を向上させ、動画頒布を促進できる。また、動画頒布のインセンティブを高めることができる。
【００２１】
（１０）また、本発明のクーポン属性変更プログラムは、ネットワークを介さない直接通信の可能な端末装置に実行させるクーポン属性変更プログラムであって、動画コンテンツ、クーポンのデータおよび前記動画コンテンツと前記クーポンとを関連付け、クーポンの属性を設定するクーポン設定情報を記憶する処理と、前記動画コンテンツの再生を制御する処理と、少なくとも前記動画コンテンツを他の機器に直接通信により転送する処理と、前記動画コンテンツの再生終了または転送完了に応じて、前記クーポンの属性を変更し、前記クーポンの前記ユーザへの価値を高める処理と、を含むことを特徴としている。これにより、ユーザの利便性を向上させ、動画頒布を促進できる。また、動画頒布のインセンティブを高めることができる。
【発明の効果】
【００２２】
本発明によれば、インターネットに接続できない場合でも、クーポンを利用でき、動画コンテンツの転送時のユーザの利便性を向上できる。また、動画コンテンツの転送により価値が高まるようにクーポンの属性が変更されるため、動画頒布のインセンティブを高めることができる。
【図面の簡単な説明】
【００２３】
【図１】画面生成システムの構成の一例を示す模式図である。
【図２】本発明に係る携帯端末の構成を示すブロック図である。
【図３】本発明に係る携帯端末による操作情報制御の動作を示すフローチャートである。
【図４】本発明に係る携帯端末による検知制御の動作を示すフローチャートである。
【図５】本発明に係る携帯端末による受信制御の動作を示すフローチャートである。
【図６】本発明に係る携帯端末による転送制御の動作を示すフローチャートである。
【図７】本発明に係る携帯端末によるクーポン制御の動作を示すフローチャートである。
【図８】本発明に係る携帯端末による表示制御の動作を示すフローチャートである。
【図９】本発明に係る携帯端末による再生制御の動作を示すフローチャートである。
【図１０】クーポン設定情報のテーブルの一例を示す図である。
【図１１】クーポン設定情報のテーブルの一例を示す図である。
【図１２】クーポン設定情報のテーブルの一例を示す図である。
【図１３Ａ】提供者設定情報のテーブルの一例を示す図である。
【図１３Ｂ】ユーザ操作情報のテーブルの一例を示す図である。
【図１４】動画コンテンツ、クーポンのデータおよびクーポン設定情報のデータ構成例を示す図である。
【図１５】動画コンテンツ、クーポンのデータおよびクーポン設定情報のデータ構成例を示す図である。
【図１６】動画コンテンツ、クーポンのデータおよびクーポン設定情報のデータ構成例を示す図である。
【図１７】動画コンテンツ、クーポンのデータおよびクーポン設定情報のデータ構成例を示す図である。
【図１８】画面の表示例を示す図である。
【図１９】画面の表示例を示す図である。
【図２０Ａ】動画・クーポン関連情報のテーブルの一例を示す図である。
【図２０Ｂ】属性変更情報のテーブルの一例を示す図である。
【図２０Ｃ】ユーザ操作情報のテーブルの一例を示す図である。
【図２１】動画コンテンツのグレードアップを可能にする追加サービスシステムを示す図である。
【図２２】動画の続きを視聴可能にする追加サービスシステムを示す図である。
【発明を実施するための形態】
【００２４】
次に、本発明の実施の形態について、図面を参照しながら説明する。説明の理解を容易にするため、各図面において同一の構成要素に対しては同一の参照番号を付し、重複する説明は省略する。
【００２５】
［第１の実施形態］
（動画コンテンツ配信システムの構成）
図１は、動画コンテンツ配信システム５０の構成の一例を示す模式図である。図１に示すように、動画コンテンツ配信システム５０は、広告配信機１００、携帯端末２００、他携帯端末３００から構成されている。
【００２６】
広告配信機１００は、店舗に設置された近距離無線通信の可能な機器である。広告配信機１００は、インターネット上の広告配信サーバでもよい。携帯端末２００（端末装置）は、クーポン付き動画コンテンツを広告配信機１００から受信可能である。そして、受信したクーポン付き動画コンテンツを再生し、再生終了後、クーポンの属性を変更する。また、受信したクーポン付き動画コンテンツを、ネットワークを介さない直接通信で他の機器に転送する機能を有し、転送後には、クーポンの属性を変更できる。ネットワークを介さない直接通信としては、赤外線通信、Bluetooth(登録商標)、無線ＬＡＮアドホック通信、TransferJet(登録商標)、非接触ＩＣカード通信等の近距離無線通信やケーブル接続による通信が挙げられる。なお、携帯端末２００は、テレビやレコーダ等の動画を再生できる端末装置であってもよい。クーポンとは、一定の条件で利用できる割引や優待のサービスを意味する。
【００２７】
ユーザは、携帯端末２００を操作し、店舗等で広告配信機１００からクーポン付き動画コンテンツを受信できる。携帯端末２００で受信した動画コンテンツの再生（視聴）し、再生を完了すると、クーポンが利用可能になったことが携帯端末２００のモニタを介して通知される。また、受信したクーポン付き動画コンテンツを友達等の他携帯端末３００に転送した場合、クーポンが利用可能になったことが携帯端末２００のモニタを介して通知される。これにより、ユーザは新たなクーポンが利用可能になったことが容易に分かる。なお、クーポンが利用可能になる変更はクーポンの属性変更の一種である。
【００２８】
動画コンテンツは、主に3gp、mpeg、wma等の動画ファイルである。なお、クーポンのデータとは、クーポンとして携帯端末２００に表示できるデータを指す。クーポンのデータには、jpeg、png等の画像ファイルに限らず、テキストファイル、ＨＴＭＬファイル、動画ファイル等が含まれる。
【００２９】
他携帯端末３００は、携帯端末２００による動画コンテンツの転送先の機器（他の機器）であり、これに代えてＴＶのようなモニタ、レコーダのようなコンテンツを記録できる機器、あるいは、店舗の専用の機器であってもよい。他携帯端末３００は、携帯端末２００と同様の機能を有し、携帯端末２００は、動画コンテンツを受信する場面では他携帯端末３００ともなりうる。
【００３０】
（携帯端末の構成）
図２は、携帯端末２００の構成を示すブロック図である。図２に示す構成により、携帯端末２００は、動画コンテンツの再生や転送に基づきクーポンの属性を変更できる。図２に示すように、携帯端末２００は、入力部２１０、通信部２２０、出力部２３０、制御ユニット２４０、データ記憶ユニット２５０を備えている。
【００３１】
入力部２１０は、ユーザ操作による操作信号を操作情報制御部２４１へ送る。通信部２２０は、他携帯端末３００等の他の機器とデータの送受信を行い、携帯端末２００内部の制御ユニット２４０との間でデータを送受する。たとえば、他の機器との通信を検知した場合、検知制御部２４２に通知する。また、他の機器からデータを受信した場合、受信制御部２４４にデータを送る。また、他の機器にデータを送信する場合、転送制御部２４３からデータを受け取り、他の機器に送信する。送信が完了したら、通信部２２０はクーポン制御部２４５に通知する。出力部２３０は、表示制御部２４６、または、再生制御部２４７から指示されたデータを携帯端末２００のモニタ上に表示する。
【００３２】
制御ユニット２４０は、携帯端末２００の各部を制御する。制御ユニット２４０は、操作情報制御部２４１、検知制御部２４２、転送制御部２４３、受信制御部２４４、クーポン制御部２４５、表示制御部２４６、再生制御部２４７を備えている。
【００３３】
操作情報制御部２４１は、入力部２１０から、ユーザ操作の信号を受け取る。そして、ユーザによる入力操作の状態（以下、操作状態）を記憶し、操作に従った命令を送る。たとえば、ユーザが動画コンテンツを選択したときには、ユーザによる動画コンテンツの選択の操作情報を受け付ける。また、ユーザが動画コンテンツを再生した場合には、動画コンテンツを再生したという操作状態を記憶し、再生制御部２４７に選択した動画コンテンツの再生を通知する。
【００３４】
検知制御部２４２は、通信部２２０から通信検知に関する信号を受け取る。また、操作情報制御部２４１から操作状態を取得し、携帯端末２００が、受信または送信のいずれを行うかを判断する。受信を行う場合、検知制御部２４２は、受信制御部２４４に受信命令を通知する。また、送信を行う場合、検知制御部２４２は、送信相手の他の機器にクーポンを利用した動画コンテンツの配信に対応しているか否か（以下、対応の有無）を問い合わせ、対応の有無を確認する。
【００３５】
また、検知制御部２４２は、転送制御部２４３にユーザが選択している動画コンテンツ情報および対応の有無を通知する。たとえば、送信を行うと判断された場合、通信検知後、ユーザが「コンテンツＩＤ：001」の動画コンテンツを選択している状態であれば、選択している動画コンテンツを他の機器に送信すると判断する。そして、通信相手の他の機器がクーポン設定情報を利用した動画コンテンツ配信に対応しているか否かを確認し、コンテンツ情報「コンテンツＩＤ：001」および対応の有無を転送制御部２４３に送る。
【００３６】
受信制御部２４４は、検知制御部２４２から受けた受信命令に基づいて通信部２２０からデータを受け取る。そして、受け取ったデータを解析し、データ記憶ユニット２５０に送り、表示制御部２４６にデータ受信を通知する。たとえば、動画コンテンツ、クーポンのデータ、クーポン設定情報を受信したら、それぞれを動画コンテンツ記憶部２５１、クーポン記憶部２５２、およびクーポン設定記憶部２５３に記憶させる。
【００３７】
転送制御部２４３は、基本的に、動画コンテンツ、クーポンのデータおよび動画コンテンツとクーポンとを関連付け、クーポンの属性を設定するクーポン設定情報を転送先となる他の機器へ送信する。転送制御部２４３は、通信相手の他の機器がクーポン付き動画コンテンツの配信に対応していないと検知された場合には、動画コンテンツのみを動画コンテンツ記憶部２５１から取得し、通信部２２０に送る。この場合、少なくとも動画コンテンツを転送できる。一方、他の機器がクーポン付き動画コンテンツ配信に対応している場合には、指定の動画コンテンツとそれに属するクーポンのデータ、およびクーポン設定情報をデータ記憶ユニット２５０から取得する。
【００３８】
また、転送制御部２４３は、転送するクーポン設定情報を初期化し、動画コンテンツ、クーポンのデータ、および初期化したクーポン設定情報を、通信部２２０を介して他の機器に直接通信により転送する。クーポン設定情報の初期化とは、転送先に送信するクーポン設定情報の初期化を意味し、転送元に残るクーポン設定情報は初期化されない。また、初期化される対象は、ユーザによる所定操作の結果、変更されたデータであり、クーポン設定情報のすべてを初期化しない。つまり、ユーザが動画コンテンツに対して操作した記録は他の機器に送信されない。後述のように、ユーザによる動画コンテンツへの操作が反映される部分を除き、クーポン設定情報を動画コンテンツとともに転送してもよい。
【００３９】
なお、同様にクーポンのデータにも初期化が必要であれば初期化する。たとえば、対応の有無が「有」であり、動画コンテンツ情報である「ＩＤ：001」を受け取った場合、「ＩＤ：001」の動画コンテンツ、クーポンのデータおよびクーポン設定情報をデータ記憶ユニット２５０から取得する。そして、クーポン設定情報を確認して、変更されているクーポンのデータがあれば、変更前のクーポンのデータに変更し、クーポン設定情報に初期から追加された転送回数項目や転送先Serial No.に記録があれば、クリアして初期の状態に戻す。初期化が終了したら、「ＩＤ：001」の動画コンテンツと、それに属する初期化したクーポンのデータおよびクーポン設定情報を通信部２２０に送る。
【００４０】
これにより、転送されるクーポンのデータの属性を初期化して、属性変更前のクーポンのデータを転送相手の携帯端末２００に送ることができる。つまり、転送先のユーザは、クーポン付き動画コンテンツを初期状態から利用することになる。
【００４１】
クーポン制御部２４５は、再生制御部２４７から再生終了に関する通知を受け取る。また、通信部２２０から転送完了に関する通知、転送した他の機器の情報および転送した動画コンテンツの情報を受け取る。クーポン制御部２４５は、クーポン設定記憶部２５３から選択された動画コンテンツのクーポン設定情報を取得する。
【００４２】
また、クーポン制御部２４５は、他の機器の履歴データをもとに、動画コンテンツを転送した通信機器に過去にも同一の動画コンテンツを転送したことがあるかを確認する。同じ動画コンテンツを過去にも転送したことがある場合には、クーポン設定情報を更新せず、表示制御部２４６に転送を通知する。なお、ここでいう更新は、クーポンの属性の変更に関連する情報の更新である。動画コンテンツを転送した日時の変更のようにクーポンの属性の変更に関連するものでなければ更新してもかまわない。クーポン制御部２４５は、動画コンテンツを転送する他の機器の機器情報を取得し、機器情報に基づいて、他の機器がクーポンに対応しているかを判別することもできる。
【００４３】
なお、再生制御部２４７から通知があれば、その通知は動画コンテンツの再生終了の通知である。したがって、その場合には、転送した動画コンテンツを過去に転送した通信機器であるか否かは確認しない。
【００４４】
クーポン制御部２４５は、再生制御部２４７から通知があるか、または転送完了し通信機器に過去に同じ動画コンテンツを転送していない場合には、クーポン設定情報を更新する。なお、更新とは、動画コンテンツの再生回数、転送回数や、転送先の通信機器情報の新たな記録を指している。また、更新によって、新たなクーポンを提供すると判断した場合、クーポンの属性を変更する。つまり、クーポン設定情報の利用不可の指定を利用可能な指定に変更する。このように、動画コンテンツの再生終了または転送完了があったときには、クーポンの属性を変更し、クーポンのユーザへの価値を高める。変更が終了したら、新たなクーポンを表示するように表示制御部２４６に通知する。
【００４５】
たとえば、通信部２２０から「ＩＤ：001」の動画コンテンツの転送が終了したと通知があれば、「ＩＤ：001」の動画コンテンツのクーポン設定情報をクーポン設定記憶部２５３から取得する。「ＩＤ：001」の動画コンテンツの転送先Serial No. を確認し、今までに「ＩＤ：001」の動画コンテンツを転送したことのある端末かどうかを確認する。転送したことのない端末であれば、携帯転送回数のカウントを１つプラスし、そのSerial No.を転送先Serial No.の項目に記録する。このとき、送信のカウントをプラスしたことにより、携帯転送回数がクーポン利用条件を満たし、「クーポン：xx02.jpg」のクーポンが利用可能になると、クーポン記憶部２５２の「クーポン：xx02.jpg」のクーポンを利用可能に変更する。変更の終了後、表示制御部２４６に変更を通知し「クーポン：xx02.jpg」のクーポンを表示する。
【００４６】
なお、この例では、利用不可能なクーポンを利用可能に変更する例を示したが、他にも、利用可能なクーポンのサービス内容を変更してもよい。例えば、クーポンのサービス内容を「５％OFF」から「１０％OFF」に変更できる。また、クーポンのサービス内容を「100ポイント進呈」から「500ポイント進呈」に変更してもよい。
【００４７】
表示制御部２４６は、受信制御部２４４から信号を受け取ったときに、データ取得完了の画面データを出力部２３０に送る。また、クーポン制御部２４５からクーポンを表示する信号を受け取ったときには、そのクーポンのデータを取得して出力部２３０に送る。それ以外の場合には送信完了の画面データを出力部２３０に送る。
【００４８】
また、表示制御部２４６は、操作情報制御部２４１から動画コンテンツまたはクーポンを選択したとの通知があれば、選択された動画コンテンツおよびクーポンのクーポン設定情報を確認し、その画面データを作成して出力部２３０に送る。したがって、ユーザにより選択された動画コンテンツに関連するクーポンのデータに基づいてクーポンを表示することができる。また、表示制御部２４６は、ユーザが選択した動画コンテンツの再生および直接通信による転送に関する操作方法を、ユーザが選択した動画コンテンツに関連するクーポンの属性を変更するための操作方法として表示する。
【００４９】
再生制御部２４７は、動画コンテンツの再生を制御する。すなわち、操作情報制御部２４１から選択された動画コンテンツの再生の通知を受け、その動画コンテンツを取得し、デコードして出力部２３０に送る。動画コンテンツの再生が終了したら、クーポン制御部２４５に、動画コンテンツの情報と再生終了を通知する。
【００５０】
データ記憶ユニット２５０は、動画コンテンツ記憶部２５１、クーポン記憶部２５２およびクーポン設定記憶部２５３を備えている。動画コンテンツ記憶部２５１は、動画コンテンツを記憶する。クーポン記憶部２５２は、クーポンのデータを記憶する。クーポン設定記憶部２５３は、クーポン設定情報を記憶する。クーポン設定情報は、クーポンのデータおよび動画コンテンツとクーポンとを関連付け、クーポンの属性を設定する情報である。クーポン設定情報には、動画コンテンツ毎のクーポン設定に関するデータ、動画コンテンツに対する携帯端末の操作情報、動画コンテンツ転送先の通信機器情報等が含まれる。クーポン設定情報の詳細については後述する。
【００５１】
（携帯端末の動作）
次に、携帯端末２００（端末装置）の動作について説明する。図３から図９は、各制御の動作を示すフローチャートである。まず、操作情報の制御を説明する。図３は、操作情報制御の動作を示すフローチャートである。まず、携帯端末２００へのユーザの操作が入力されたとき、操作情報制御部２４１は、入力部２１０からの通知に応じて操作状態を記録する（ステップＳ１）。そして、記録した操作状態が動画コンテンツの再生であるか否かを判定する（ステップＳ２）。記録した操作状態が動画コンテンツの再生でなければ、操作状態に基づいた表示を表示制御部２４６へ指示し（ステップＳ３）、終了する。一方、記録した操作状態が動画コンテンツの再生であるならば、再生制御部２４７に再生を指示し（ステップＳ４）、終了する。
【００５２】
次に、検知制御について説明する。図４は、検知制御の動作を示すフローチャートである。まず、通信できる通信機器（他の機器）の検知の有無を判定する（ステップＴ１）。通信機器が検知されない場合には、ステップＴ１に戻る。通信機器が検知されれば、操作情報制御部２４１から操作状態を取得する（ステップＴ２）。そして、取得した操作状態が、「動画コンテンツの選択」であるか否かを判定する（ステップＴ３）。取得した操作状態が、「動画コンテンツの選択」でなければ、受信制御部２４４へ通知し（ステップＴ４）、終了する。一方、取得した操作状態が、「動画コンテンツの選択」であれば、通信機器がクーポン付き動画コンテンツ配信に対応しているかどうかを確認する（ステップＴ５）。そして、確認結果に従い対応の有無情報、選択している動画コンテンツ情報を転送制御部２４３に通知する（ステップＴ６）。
【００５３】
次に、受信制御について説明する。図５は、受信制御の動作を示すフローチャートである。まず、検知制御部２４２から通知があれば、通信部２２０からデータを受信する（ステップＰ１）。そして、受信したデータを解析し、適切な記憶部にデータを記憶する（ステップＰ２）。記憶が終了したら、表示制御部２４６に処理終了を通知し（ステップＰ３）、終了する。
【００５４】
次に、転送制御について説明する。図６は、転送制御の動作を示すフローチャートである。まず、転送制御部２４３は検知制御部２４２から受け取った通信機器がクーポン付き動画コンテンツ配信に対応しているか否かを確認する（ステップＱ１）。対応していなければ、指定動画コンテンツに対応した動画コンテンツをデータ記憶ユニット２５０から取得し（ステップＱ２）、ステップＱ５に進む。一方、対応していれば、指定動画コンテンツに対応した動画コンテンツ、クーポンのデータ、クーポン設定情報をデータ記憶ユニット２５０から取得する（ステップＱ３）。取得したクーポンのデータ、クーポン設定情報に関しては、データを送る前に初期化する（ステップＱ４）。初期化が終了したら、通信部２２０に全てのデータを送り（ステップＱ５）、終了する。
【００５５】
次に、クーポンの属性変更制御について説明する。図７は、クーポン制御のフローチャートである。まず、クーポン制御部２４５は、選択した動画コンテンツに対応したクーポン設定情報を取得する（ステップＲ１）。次に、再生制御部２４７からの通知か、通信部２２０からの通知かを確認する（ステップＲ２）。再生制御部２４７からの通知がある場合には、ステップＲ４に進み、クーポン設定情報を確認せず、クーポン設定情報を更新する。通信部２２０からの通知であれば、転送した通信機器（他の機器）の過去の履歴情報がないかをクーポン設定情報から確認する（ステップＲ３）。履歴がある場合には、ステップＲ７に進む。履歴がなければ、クーポン設定情報を更新する（ステップＲ４）。
【００５６】
次に、クーポン設定情報の更新により、クーポン変更の必要があるかどうかを確認する（ステップＲ５）。新たなクーポンを発行するクーポンの変更が必要であれば、クーポン設定情報に含まれるクーポンの属性を変更する（ステップＲ６）。変更が完了したら、表示制御部２４６に完了を通知する（ステップＲ７）。また、変更がなかった場合も、ステップＲ７に進み、表示制御部２４６に処理の終了を通知し、終了する。
【００５７】
次に、表示制御について説明する。図８は、表示制御の動作を示すフローチャートである。操作情報制御部２４１からの操作表示指示があるか否かを確認する（ステップＫ１）。操作表示指示があれば、操作による携帯端末２００のモニタの画面データを作成し（ステップＫ２）、ステップＫ７に進み、モニタの画面データを出力部２３０に送る。
【００５８】
操作表示指示がなければ、各制御部からの通知情報を確認し、クーポン表示の指示があるかどうかを確認する（ステップＫ３）。確認の結果、クーポン表示指示がなければ、通知情報に基づいて、処理完了画面を作成し（ステップＫ４）、ステップＫ７に進み、処理完了画面を出力部２３０に送る。
【００５９】
一方、ステップＫ３において、確認の結果、クーポン表示指示があれば、指定のクーポンのデータを取得する（ステップＫ５）。そして、表示制御部２４６は、取得したクーポンの表示画面を作成し（ステップＫ６）、出力部２３０に送り（ステップＫ７）、処理を終了する。
【００６０】
次に、再生制御について説明する。図９は、再生制御のフローチャートである。まず、再生制御部２４７は、操作情報制御部２４１から再生通知があれば、指定動画コンテンツを取得する（ステップＬ１）。そして、取得したデータをデコードし、出力部２３０に送る（ステップＬ２）。次に、動画コンテンツの再生が終了したか否かを確認する（ステップＬ３）。動画コンテンツの再生の終了を検知しない場合には、ステップＬ３に戻る。動画コンテンツの再生の終了を検知したときには、クーポン制御部２４５に動画コンテンツの再生終了を通知し（ステップＬ４）、処理を終了する。なお、以上の携帯端末２００の動作は、プログラムの実行により行われる。
【００６１】
（クーポン設定情報）
次に、クーポン設定情報について説明する。図１０、図１１、図１２および図１３は、クーポン設定情報のテーブルの一例を示す図である。図１０に示すクーポン設定情報は、クーポン設定記憶部２５３により記憶される。図１０に示すテーブルには、ＩＤ、動画コンテンツ名、クーポン提供者名、クーポンファイル名、クーポン内容、利用可能にする方法の表示内容、利用方法の表示内容、利用可能条件、フラグ、携帯再生回数、ＴＶ再生回数、携帯転送回数、レコーダ転送回数、転送先No.(Serial No.)の項目があり、動画コンテンツ毎にＩＤが割り当てられる。
【００６２】
図１０に示すように、ＩＤが「001」の動画コンテンツの動画コンテンツ名は「001.3gp」として記憶され、クーポン提供者名は「○○ショップ」、提供可能なクーポンファイル名は、「xx01.jpg」から「xx05.jpg」として記憶される。また、それぞれのクーポンファイルに対応したクーポン内容、利用可能にする方法の表示内容、利用方法の表示内、利用可能条件が記憶されている。
【００６３】
また、提供済み（利用可能に変更した）クーポンに関しては、クーポン提供済みであることがわかるようにフラグを立てる。また、さまざまな機器での再生回数や転送回数を管理している。再生回数、転送回数、ストリーム再生回数等の項目は、クーポンの属性変更の基準に応じて変更してもかまわない。また、転送先のSerial No. が記録される。転送先のSerial No.は、機器が特定できるものであればよい。
【００６４】
たとえば、図１０に示す例では、ＩＤが「001」の「xx01.jpg」のクーポンが提供される（利用可能になる）ためには、利用可能条件に示すように、携帯端末２００で動画コンテンツ「001.3gp」を１回再生すればよい。このように、ユーザは、店舗から紹介された動画コンテンツを携帯端末２００で再生することで、クーポンを獲得できる。
【００６５】
また、ＩＤが「001」の「xx03.jpg」のクーポンが提供される（利用可能になる）ためには、携帯端末２００で動画コンテンツ「001.3gp」を２回ほど他の機器に転送すればよい。また同様に、「xx04.jpg」のクーポンが提供される（利用可能になる）ためには、携帯端末２００で動画コンテンツ「001.3gp」を他の機器に３回転送すればよい。なお、転送先のSerial No. が記録されるため、以前転送したのと同じ機器に２回以上転送しても１回しかカウントされない。このように、転送回数に応じて、提供するクーポンを変更できる。そのため、ユーザが動画コンテンツを紹介するように動機づけ、ユーザの意識を高めることができる。
【００６６】
また、コンテンツＩＤが「002」の「xx06.jpg」、「xx07.jpg」のクーポンが提供される（クーポンの属性が変更される）ためには、携帯端末２００で動画コンテンツ「002.3gp」が他の機器に１回転送されればよい。このように、１回の転送で２つ以上のクーポンを提供することもできる。
【００６７】
また、コンテンツＩＤが「003」の「xx12.jpg」のクーポンが提供される（クーポンの属性が変更される）条件は、「ＴＶストリーム再生回数１」である。これは、携帯端末２００からＴＶへストリームによる再生を行った回数が１回という意味である。このように、ＴＶのような携帯端末以外の機器で動画コンテンツを再生することによって、クーポンを変更することも可能である。したがって、たとえば動画コンテンツをＴＶで再生させることにより良い条件のクーポンを提供することもでき、クーポンを提供する店舗の意図に合わせたクーポン提供が可能になる。
【００６８】
また、図１０によれば、コンテンツＩＤが「003」の「xx15.jpg」のクーポンが提供される（クーポンの属性が変更される）ためには、「指定端末転送（S_No.:asdfda4215）」が利用可能条件として記憶されている。これは、転送先Serial No.が「asdfda4215」であるという意味である。携帯端末２００からSerial No.が「asdfda4215」である端末に対して、動画コンテンツ「003.3gp」を転送した場合、「xx15.jpg」のクーポンが提供される。このように、指定機器に応じたクーポンを提供することもできる。つまり、店舗が指定端末を登録することができ、その場合には動画コンテンツを店舗の指定端末に転送すれば、店舗でしか得られないクーポンの提供も可能である。
【００６９】
次に、図１１は、別のクーポン設定情報のテーブルの一例を示す図である。図１０に示す例では、クーポンの変更前、変更後で１つのクーポンのデータ内を書き換えるが、図１１に示す例では、変更前と変更後の２つのクーポンのデータを利用する。
【００７０】
図１１に示すテーブル項目には、図１０に示すクーポンファイル名という項目に代えて、利用不可なクーポン、利用可能なクーポンの２つの項目がある。図１１で頭に「dummy_」が付いているファイル名のデータは、利用不可なクーポンのデータを示している。
【００７１】
図１１の例はクーポンの変更が図１０の例と異なるが、他の違いはない。図１１に示す例のクーポン変更では、提供条件を満たしていなければ、利用不可なクーポンを表示し、利用可能なクーポンを非表示する。提供条件を満たしていれば、利用不可なクーポンを非表示にし、利用可能なクーポンを表示する。
【００７２】
次に、図１２は、別のクーポン設定情報のテーブルの一例を示す図である。図１２に示す例では、一つのクーポンファイルを条件ごとに書き換えて、クーポンを変化させる。図１２に示す例では、テーブルに「No」という項目が追加されている。これは、クーポン内容ごとのナンバリングを意味する。また、この数字の数が大きいほどよいサービス内容であることを示す指標となっている。
【００７３】
また、図１０の例では、一つの動画に対し、クーポンファイルが５つあり、それに伴い、一つ一つのクーポンファイルに対するサービスが一つあるが、図１２の例では、一つの動画コンテンツに、クーポンファイル一つのみが対応している。その一つのクーポンファイルに対するサービスは５つ存在する。
【００７４】
図１２の例では、動画「001」を再生した場合、クーポンファイルとして「No」の値が「１」のものが選択され、携帯端末の画面には「全品５％OFF!!」との内容が表示される。また、動画「001」を一人に転送すれば、「No」の値が「２」のクーポン内容が選択され、携帯端末の画面表示は「全品１０％OFF!!」との内容に変更される。この場合には、クーポンファイルの変更となるため、ユーザは「No」の値が「１」の「全品５％OFF!!」は利用できず、「No」の値が「２」の「全品１０％OFF!!」のサービスのみ利用できるようになる。
【００７５】
また、先に動画コンテンツ「001」を一人に転送した場合、クーポンファイルとして「No」の値が「２」のクーポン内容が選択され、携帯端末の画面には「全品１０％OFF!!」の内容が表示される。そのあとに、動画コンテンツ「001」を再生しても、動画「001」を再生した場合の「No」の値が「１」であり、現在のクーポン内容の「No」の値「２」より小さいため、クーポンファイルは変更されない。
【００７６】
次に、図１３Ａおよび図１３Ｂは、それぞれ提供者設定情報およびユーザ操作情報別のテーブルの一例を示す図である。図１３Ａおよび図１３Ｂに示す例は、図１０に示すＩＤ「001」の動画コンテンツのクーポン設定情報を分けた例である。図１３Ａのテーブルは図１０のテーブルと項目の一部と同様である。図１３Ａのテーブルの項目は、ＩＤ、動画コンテンツ、クーポン提供者名、クーポンファイル名、クーポン内容、利用可能にする方法の内容、利用方法の内容、利用可能条件、フラグである。これらの情報は、動画コンテンツ、クーポンの提供者（提供会社）が定義した設定情報（以下、提供者設定情報）であり、ユーザには改変できない。また、図１３Ｂのテーブルには同様に、テーブルには、ＩＤ、携帯再生回数、ＴＶ再生回数、携帯転送回数、レコーダ転送回数、転送先No.（Serial No.）が項目として含まれる。これらの情報は、ユーザの動画コンテンツの操作により更新される情報（以下、ユーザ操作情報）であり、これらの項目はクーポンの属性変更の基準に応じて変更してもよい。
【００７７】
このように、図１３Ｂの例では、クーポン設定情報を、あらかじめクーポン提供者が設定した部分（提供者設定情報）と、ユーザによる動画コンテンツへの操作が反映される部分（ユーザ操作情報）とに分けている。図１０〜図１２の例では、ユーザが動画コンテンツを他の機器に転送する際に、クーポン設定情報の一部（ユーザ操作情報）を初期化し、動画コンテンツ、クーポンのデータおよびクーポン設定情報（提供者設定情報とユーザ操作情報）を送信する。
【００７８】
一方、図１３Ａ、図１３Ｂの例では、クーポン設定情報を提供者設定情報とユーザ操作情報に分割することにより、ユーザ操作情報を送信せずに、動画コンテンツ、クーポンのデータおよびクーポン設定情報（提供者設定情報）のみを送信することが可能になる。これにより、送信する前に、相手に送信するクーポン設定情報の一部（ユーザ操作情報）を初期化する必要がなくなる。また、受信側の機器は、受信した情報に基づいて、ユーザ操作情報を機器内で生成する仕組みを持つ。なお、図１１、図１２の例に示すクーポン設定情報でもユーザ操作情報と提供者設定情報とを分ける方法を適用できる。このような方法については、第２の実施形態に説明する。
【００７９】
（データ構成）
次に、図１４は、図１０に示すクーポン設定情報の「ＩＤ：001」のコンテンツについての動画コンテンツ、クーポンのデータおよびクーポン設定情報のデータ構成例を示す図である。図１４は、携帯端末２００のデータフォルダ内に、動画コンテンツを記録する「MOVIE」、クーポンを記録する「COUPON」、クーポン設定情報を記録する「SETTING」のフォルダがあることを示している。また、「MOVIE」フォルダには、クーポン付き動画コンテンツである「001.3gp」とクーポンが付いていない動画コンテンツ「005.3gp」がある。「001.3gp」は、クーポン付き動画コンテンツであるので、「COUPON」フォルダにこれに対応する「001」というフォルダが作成され、その中に「xx01.jpg」から「xx05.jpg」のクーポンのデータが格納されている。また、「SETTING」フォルダに「001.txt」があり、ファイル内にクーポン設定情報が記録されている。一方、動画コンテンツ「005.3gp」はクーポン付き動画ではないため、「COUPON」、「SETTING」フォルダには関連するデータは作成されていない。
【００８０】
図１５は、図１１に示すクーポン設定情報の「ＩＤ：001」のコンテンツについての動画コンテンツ、クーポンのデータおよびクーポン設定情報のデータ構成例を示す図である。基本的な構成は図１４に示す例と同様である。図１４の例では、クーポンの変更前と変更後のファイルが一つであるため、「COUPON」フォルダの「001」フォルダ内に「xx01.jpg」から「xx05.jpg」の５種類のクーポンが格納されている。しかし、図１５の例では、クーポンの変更前と変更後のファイルが異なり、変更前のクーポンが５つ、変更後のクーポンが５つ存在し、合計の１０個のファイルが存在する。また、変更前のファイル名は、頭に「dummy_」を付したものとなっており、変更前のファイルであることを識別できるように設定されている。
【００８１】
図１６は、図１２に示すクーポン設定情報の「ＩＤ：001」のコンテンツについての動画コンテンツ、クーポンのデータおよびクーポン設定情報のデータ構成例を示す図である。基本的な構成は図１４に示す例と同様である。図１４の例では、一つの動画にクーポンファイルが５つ対応しているが、図１６の例では、一つの動画にクーポンファイルは一つだけ対応している。図１６の例では、この一つのクーポンファイルの内容をクーポン設定情報の利用可能条件に従い変更する。
【００８２】
図１７は、図１３に示すクーポン設定情報の「ＩＤ：001」のコンテンツについての動画コンテンツ、クーポンのデータおよびクーポン設定情報のデータ構成例を示す図である。基本的な構成は、図１４に示す例と同様である。図１４に示す例との違いはクーポン設定情報を保持する「SETTING」フォルダ以下にある。「SETTING」フォルダより下位の構成には、「001」という動画コンテンツに対応づけられたフォルダがあり、その中に、「001.txt」「User_001.txt」という二つのファイルがあり、クーポン設定情報を提供者設定情報とユーザ操作情報とに分割している。図１７の例では、提供者設定情報が「001.txt」であり、ユーザ操作情報が「User_001.txt」である。携帯端末２００は、クーポンの内容、提供条件等の定義された情報が必要な場合には、「001.txt」にアクセスし、動画コンテンツを操作した場合には「User_001.txt」にアクセスする。
【００８３】
また、ユーザが動画コンテンツ「001.3gp」を転送する場合に、上記の図１０、図１４の例では、動画コンテンツ「001.3gp」と、「COUPON」フォルダ内「001」フォルダのクーポン一式と、「SETTING」フォルダの「001」フォルダの「001.txt」を送信する必要がある。また、送信する前に「001.txt」の一部を初期化する必要がある。一方、図１７に示す構成（図１３の例に対応）の場合は、「001.txt」を初期化する必要がなくなる。
【００８４】
（画面表示）
図１８は、携帯端末２００のモニタ上に、動画コンテンツの選択画面、動画コンテンツを選択した時の画面の表示例を示す図である。画面表示１８００は動画コンテンツを選択する画面表示の例であり、図１４の例におけるデータフォルダのMOVIEフォルダを開いた時の表示である。なお、図１５、図１６の例でも同様に表示される。
【００８５】
画面表示１８００に示すように、動画コンテンツ「001」、「005」の二つのコンテンツが存在し、「001」のコンテンツはクーポン付き動画配信システムに対応した動画コンテンツであるため、コンテンツ名を四角枠で囲んで表示している。なお、四角枠の表示は、他の表現でもよい。また、「005」はクーポン付き動画配信システムに対応していないので、コンテンツ名を囲む四角枠を表示しない。これにより、ユーザは、一目で動画コンテンツがクーポン付き動画配信システムに対応しているか否かを知ることができる。
【００８６】
なお、コンテンツをモニタに描画する前に、表示制御部２４６がMOVIEフォルダにあるコンテンツとSETTINGフォルダの情報を比較し、MOVIEフォルダにあり、かつ、SETTINGフォルダ内にあるコンテンツをクーポン付き動画コンテンツと判断する。
【００８７】
次に、画面表示１８００でユーザが動画コンテンツ「001」を選択した場合、画面表示１８００は、画面表示１８０１に遷移する。また、動画コンテンツ「005」を選択した場合には、画面表示１８０２に遷移する。画面表示１８０１には、動画コンテンツの再生領域１８１１と、クーポンサムネイルの表示領域１８１２が存在する。クーポンサムネイルには、クーポン内容が表示されており、選択すると、クーポンの詳細情報が表示される。これにより、クーポン付き動画コンテンツ再生中に、クーポンの詳細を見ることができる。一方、利用不可能なクーポンには斜線をサムネイルに表示させ、現時点では利用不可能であることを示している。一方、画面表示１８０２では、クーポン付き動画配信システムに対応していないため、動画コンテンツ再生領域以下には、クーポンが表示されない。
【００８８】
図１８の例では、描画する前に、表示制御部２４６が、「001」のコンテンツを選択したと通知を受け、SETTINGフォルダ内の「001」のクーポン設定情報を取得する。そして、クーポンが利用可能か不可能かをクーポン設定情報のフラグを確認して判断し、クーポンのサムネイルを表示する。その結果、画面表示１８０１のように動画コンテンツの再生領域と、クーポンサムネイル表示領域を表示する。なお、図１２の例のクーポン設定情報が利用されている場合には、現在利用可能なクーポンのサムネイルと、そのクーポンよりもクーポン設定情報の「No」の値が大きいクーポンのサムネイルとを表示する。したがって、現在利用可能なクーポンよりもクーポン設定情報の「No」の値が小さいクーポンのサムネイルは表示されず、ユーザは選択できなくなる。
【００８９】
図１９は、クーポンを選択した場合のクーポン内容の表示例を示す図である。クーポン表示１９００は、図１８に示す画面表示１８０１の利用不可能なクーポンを選択した場合の画面の表示例である。クーポン表示１９００には、クーポンが利用できる店舗の名前、クーポンサービス内容、現在の利用の可否、利用可能にする方法が示されている。これにより、ユーザはクーポンのサービス内容を一目で知ることができる。また、クーポン表示１９０１はユーザの操作により、クーポンが利用可能になった場合の表示画面である。クーポン表示１９０１に示すように、クーポンが利用できる店舗の名前、クーポンサービス内容、現在の利用の可否、利用方法が表示されている。これにより、ユーザはクーポンをどのように利用するかが一目でわかる。
【００９０】
また、利用不可能なクーポンのクーポン表示１９００を図１０に示すクーポン設定情報を利用して表示するには場合には、図１０に示すＩＤ「001」のクーポンファイル名xx03.jpgの画像データを表示する。クーポンxx03.jpが選択された場合、表示制御部２４６が、フラグの有無を確認するが、クーポン変更前のためフラグがない。そこで、クーポン提供者名、クーポン内容、利用可能にする方法の情報を取得し、クーポン表示１９００を構成する。
【００９１】
また、利用可能なクーポンのクーポン表示１９０１を図１０に示すクーポン設定情報を利用して表示する場合には、図１０に示すＩＤ「001」のクーポンファイル名xx03.jpgの画像データを表示する。ファイル名xx03.jpのクーポンが選択された場合、表示制御部２４６が、フラグを確認し、クーポン提供者名、クーポン内容、利用方法の内容を取得し、画面表示を構成する。このように、１つのクーポンファイルで利用不可能と利用可能を表示している。
【００９２】
また、図１１示すクーポン設定情報を利用して表示する場合には、利用不可能なクーポンのクーポン表示１９００として図１１に示すＩＤ「001」のファイル名dummy_xx03.jpgのクーポンを表示する。また、利用可能なクーポンのクーポン表示１９０１として、図１１に示すＩＤ「001」のファイル名xx03.jpgのクーポンを表示する。このように２つのクーポンファイルで、利用不可能クーポンと利用可能クーポンを表示できる。
【００９３】
なお、図１１に示すクーポン設定情報を利用して、クーポンが選択される場合は、クーポンが選択される前のクーポン一覧表示において、クーポン設定情報のフラグを確認して、クーポン変更前かクーポン変更後を判別してクーポン一覧を表示している。したがって、ユーザに選択された時点で、どちらのクーポンが選択されているかが決まっており、選択された方のクーポンを表示することになる。
【００９４】
図１２に示すクーポン設定情報を利用して利用不可能なクーポンのクーポン表示１９００を表示する場合には、図１２に示すＩＤ「001」のNo「３」の利用不可な場合のファイル名xx01.jpgのクーポンを表示する。また、利用可能なクーポンのクーポン表示１９０１を図１２に示すＩＤ「001」のNo「３」のファイル名xx01.jpgのクーポンを表示する。
【００９５】
このように図１２に示すクーポン設定情報が設定されている場合、一つのクーポンファイルで、クーポン設定情報を利用して利用不可能クーポンと利用可能クーポンを表示している。なお、図１２のクーポン設定情報を利用して、クーポンが選択される場合は、必ずファイル名xx01.jpgのクーポンが表示される。クーポンが選択された場合、指定されたクーポンの情報をクーポン設定情報から読み取り、ファイル名xx01.jpgのクーポンを加工して表示する。
【００９６】
［第２の実施形態］
上記の実施形態では、クーポン設定情報の一部を初期化して他の機器へ転送しているが、クーポン設定情報を提供者設定情報とユーザ操作情報とに振り分けて提供者設定情報のみを転送してもよい。その場合には、提供者設定情報をさらに２つの情報に分けて各判断を行うことができる。すなわち、提供者設定情報は、動画コンテンツとクーポンとの関連を示す動画・クーポン関連情報およびクーポンの属性を変更する条件を示す属性変更情報に分けられる。
【００９７】
図２０Ａ〜図２０Ｃは、それぞれ動画・クーポン関連情報、属性変更情報およびユーザ操作情報のテーブルの一例を示す図である。図２０Ａに示すように、動画・クーポン関連情報は、ファイル名「001.3gp」の動画コンテンツに、ファイル名「xx01.jpg」〜「xx05.jpg」のクーポンファイルが対応することを示している。また、図２０Ｂに示すように、属性変更情報は、ファイル名「001.3gp」の動画コンテンツの再生または転送の回数に、利用可能になるクーポンが対応することを示している。これが、各クーポンの利用可能条件となっている。
【００９８】
クーポン設定情報として提供者設定情報のみを転送する場合には、転送先においてユーザ操作情報が操作履歴として作成される。図２０Ｃに示すように、携帯端末２００においてもユーザ操作情報は、まず初期状態のものが作成される。そして、その操作履歴により、ユーザが動画コンテンツに対して行った再生、転送の操作情報がユーザ操作情報に追加される。また、新たな他の機器に、動画コンテンツの転送がなされると、その機器の識別情報が追加される。そして、ユーザ操作情報と属性変更情報を比較し、クーポンの属性変更条件を満たしている場合には、クーポンの属性を変更する。
【００９９】
［第３の実施形態］
なお、上記の実施形態では、クーポン設定情報として動画・クーポン関連情報および属性変更情報を転送するが、属性変更情報のみを転送してもよい。その場合には、同時に転送される動画コンテンツを再生または転送することで、追加サービスが利用可能になる。追加サービスには、クーポンに限られず各種のサービスが含まれる。この場合も上記の実施形態と同様に、転送先においてユーザ操作情報が操作履歴として作成される。そして、その操作履歴により、ユーザが動画コンテンツに対して行った再生、転送の操作情報がユーザ操作情報に追加される。また、新たな他の機器に、動画コンテンツの転送がなされると、その機器の識別情報が追加される。そして、ユーザ操作情報と属性変更情報を比較し、追加サービスの条件を満たしている場合には、追加サービスを利用可能にする。
【０１００】
追加サービスとしては、動画コンテンツのグレードアップが一例として挙げられる。図２１は、動画コンテンツのグレードアップを可能にする追加サービスシステム４００を示す図である。追加サービスシステム４００は、携帯端末２００、ＴＶ４５０およびサーバ４７０を備えている。たとえば動画コンテンツの再生または転送により追加サービスの利用条件を満たしたときに、ユーザは携帯端末２００から動画コンテンツおよびユーザ操作情報をＴＶ４５０に送信する。そして、ＴＶ４５０は、受信した動画コンテンツおよびユーザ操作情報をサーバ４７０に送信する。サーバ４７０は、受信した情報が利用条件を満たしていることを確認し、受信した動画コンテンツより高画質な動画コンテンツをＴＶ４５０に送信する。このようにして、ユーザはＴＶ４５０において高画質な動画を視聴することができる。
【０１０１】
また、その他の追加サービスとしては、動画の続きを視聴可能にするサービスも挙げられる。図２２は、動画の続きを視聴可能にする追加サービスシステム５００を示す図である。追加サービスシステム５００は、携帯端末２００およびサービス機器５５０により構成される。たとえば動画コンテンツの再生または転送により追加サービスの利用条件を満たしたときに、ユーザは携帯端末２００から動画コンテンツおよびユーザ操作情報をサービス機器５５０に送信する。サービス機器５５０は、受信した情報が利用条件を満たしていることを確認し、受信した動画コンテンツの続きとなる動画コンテンツを携帯端末２００に送信する。このようにして、ユーザは続きの動画を視聴することができる。
【符号の説明】
【０１０２】
５０  動画コンテンツ配信システム
１００  広告配信機
２００  携帯端末（端末装置）
２１０  入力部
２２０  通信部
２３０  出力部
２４０  制御ユニット
２４１  操作情報制御部
２４２  検知制御部
２４３  転送制御部
２４４  受信制御部
２４５  クーポン制御部
２４６  表示制御部
２４７  再生制御部
２５０  データ記憶ユニット
２５１  動画コンテンツ記憶部
２５２  クーポン記憶部
２５３  クーポン設定記憶部
３００  他携帯端末（他の機器）
４００  追加サービスシステム
４５０  ＴＶ
４７０  サーバ
５００  追加サービスシステム
５５０  サービス機器
１８００、１８０１、１８０２  画面表示
１８１１  動画コンテンツの再生領域
１８１２  クーポンサムネイルの表示領域
１９００、１９０１  クーポン表示
【図１】
2011034304.tif 000003
【図２】
2011034304.tif 000004
【図３】
2011034304.tif 000005
【図４】
2011034304.tif 000006
【図５】
2011034304.tif 000007
【図６】
2011034304.tif 000008
【図７】
2011034304.tif 000009
【図８】
2011034304.tif 000010
【図９】
2011034304.tif 000011
【図１０】
2011034304.tif 000012
【図１１】
2011034304.tif 000013
【図１２】
2011034304.tif 000014
【図１３Ａ】
2011034304.tif 000015
【図１３Ｂ】
2011034304.tif 000016
【図１４】
2011034304.tif 000017
【図１５】
2011034304.tif 000018
【図１６】
2011034304.tif 000019
【図１７】
2011034304.tif 000020
【図１８】
2011034304.tif 000021
【図１９】
2011034304.tif 000022
【図２０Ａ】
2011034304.tif 000023
【図２０Ｂ】
2011034304.tif 000024
【図２０Ｃ】
2011034304.tif 000025
【図２１】
2011034304.tif 000026
【図２２】
2011034304.tif 000027